(57)【特許請求の範囲】
【請求項１】
函体の内部に開口させる函内開口部と外気に開口させる外部開口部とを連通する通気路が内部に形成されたケーシングを有し、前記通気路が通気性及び透湿性を有する防水膜によって複数の小室に区画形成され、前記函内開口部と外部開口部との間で水蒸気の移動を制御する水蒸気移動制御装置を対象とした異常警告装置であって、
上端口が函体の内部に開口し、下端口が外気に開口するように函体に取り付けられる筒状体を有し、
この筒状体の内部に柔軟薄膜素材による気密性アキュムレータが設けられ、  この気密性アキュムレータは外周部が筒状体の内周に気密状態に取り付けられると共に、上面が磁石によって筒状体に吸着され、
この磁石による吸着が解除したときに自重により落下して筒状体から垂下状態に露出する警告目印部材が気密性アキュムレータの下面に取り付けられていることを特徴とした水蒸気移動制御装置の異常警告装置。
【請求項２】
請求項１記載の水蒸気移動制御装置の異常警告装置において、水蒸気移動制御装置に一体的に組み込まれて函体に設置される水蒸気移動制御装置の異常警告装置。
【請求項３】
請求項１記載の水蒸気移動制御装置の異常警告装置において、水蒸気移動制御装置とは別体に独立して函体に設置される水蒸気移動制御装置の異常警告装置。
【発明の詳細な説明】
【０００１】
【発明の属する技術分野】
本発明は、特殊な防水膜とその配列で水蒸気の移動方向を制御することによって、加湿装置、除湿装置、調湿装置等として利用される水蒸気移動制御装置を対象とした異常警告装置に関する。
【０００２】
【従来の技術】
水蒸気移動制御装置は、函体の内部に開口させる函内開口部と外気に開口させる外部開口部とを連通する通気路が内部に形成されたケーシングを有し、前記通気路が通気性及び透湿性を有する防水膜によって複数の小室に区画形成されている。そして、前記各防水膜の通気度及び透湿度を使用し、函体内部と外気との温度変動速度により、函体内部を調湿（除湿、加湿）するように水蒸気の移動を制御するものである。
【０００３】
【発明が解決しようとする課題】
しかしながら、この水蒸気移動制御装置の主構成部材となる防水膜には、多数の微細孔（平均孔径が０．１〜０．６μｍ）が形成されているため、この微細孔が微粉塵等によって目詰まりを起こすことがある。このように防水膜の微細孔が目詰まりを起こすと、水蒸気の移動が得られないため、本来の機能を果たすことができないことになるし、函体又は小室の内部の圧力上昇によって防水膜が破損してしまうというトラブルが生じる。又、この水蒸気移動制御装置を取り付けた気密性の内部空間の圧力と外気との著しい圧力差は、水蒸気移動制御装置にとって有害であるという問題があった。
【０００４】
又、この水蒸気移動制御装置は、高所、例えば、鉄塔やビルの屋上等に設置された電気機器用の函体に取り付けられることが多く、このような場合、地上から防水膜の異常を発見することは困難である。従って、従来では、わざわざ鉄塔等の高所に登って確認する以外に異常を発見することができないという問題があった。
【０００５】
本発明は、上述のような従来の問題を解決するためになされたもので、防水膜の微細孔に目詰まりが生じた場合に、その異常を函体の外部から確認することができるようにし、微細な内外圧力差を緩衝し、又は予期しない異常な内外圧力差の発生を検出して警告表示し、特に鉄塔等の高所に取り付けられた水蒸気移動制御装置の異常を地上からでも容易に確認できるようにした水蒸気移動制御装置の異常警告装置を提供することを課題としている。
【０００６】
【課題を解決するための手段】
上記課題を解決するために、本発明（請求項１）の水蒸気移動制御装置の異常警告装置は、
函体の内部に開口させる函内開口部と外気に開口させる外部開口部とを連通する通気路が内部に形成されたケーシングを有し、前記通気路が通気性及び透湿性を有する防水膜によって複数の小室に区画形成され、前記函内開口部と外部開口部との間で水蒸気の移動を制御する水蒸気移動制御装置を対象とした異常警告装置であって、
上端口が函体の内部に開口し、下端口が外気に開口するように函体に取り付けられる筒状体を有し、
この筒状体の内部に柔軟薄膜素材による気密性アキュムレータが設けられ、  この気密性アキュムレータは外周部が筒状体の内周に気密状態に取り付けられると共に、上面が磁石によって筒状体に吸着され、
この磁石による吸着が解除したときに自重により落下して筒状体から垂下状態に露出する警告目印部材が気密性アキュムレータの下面に取り付けられている構成とした。
【０００７】
この場合、異常警告装置が水蒸気移動制御装置に一体的に組み込まれて函体に設置される態様（請求項２）と、水蒸気移動制御装置とは別体に独立して函体に設置される態様（請求項３）とがある。
【０００８】
この異常警告装置の作用を説明する。この異常警告装置では、防水膜の微細孔が目詰まりを起こすと、水蒸気の移動が得られなくなって函体内部に圧力上昇が生じるという点に着目している。
【０００９】
この異常警告装置は、水蒸気移動制御装置の正常時には、気密性アキュムレータの上面が磁石によって筒状体に吸着され、この気密性アキュムレータの下面に取り付けられた警告目印部材は筒状体の内部に格納された状態になっている。
【００１０】
そして、水蒸気移動制御装置の防水膜に目詰まりが生じていることによって函体内部に圧力上昇が生じると、この圧力は筒状体の内部に設けた気密性アキュムレータによって吸収される。これにより内外圧力差が緩衝され、水蒸気移動制御装置の機能を維持することができる。そして、著しい圧力上昇が生じると気密性アキュムレータを押し下げるように作用する。これにより磁石によって筒状体に吸着されていた気密性アキュムレータの先端が解除され、これに伴って警告目印部材が自重により落下して筒状体から垂下状態に露出する。
【００１１】
このように、警告目印部材が筒状体から垂下状態に露出して目立つことから、これを地上からでも容易に確認することができる。尚、この警告目印部材を確認した場合には、函体の設置場所まで行き、水蒸気移動制御装置の防水膜を清掃あるいは交換し、同時に異常警告装置を初期の状態にセットし直すことになる。
【００１２】
【発明の実施の形態】
以下、本発明の実施の形態を図面により説明する。図１は本発明に係る実施の第１形態である水蒸気移動制御装置の異常警告装置を示す断面図である。尚、以下の各実施の形態において、同一構成部分については図面の符号を同一にして説明を省略する。
【００１３】
まず、水蒸気移動制御装置１を説明する。この水蒸気移動制御装置１は、内筒１０と外筒１１で２重筒状に形成されたケーシング１２を有し、この内筒１０と外筒１１との間の空間が通気路１３に形成され、この通気路１３によって函体２の内部に開口させる函内開口部１４と外気に開口させる外部開口部１５とが連通されている。そして、前記通気路１３には通気性及び透湿性を有する３枚の防水膜１６がスペーサ１７を介して一定間隔で配設され、この防水膜１６によって通気路１３が２個の小室１８，１８に区画形成されている。尚、この水蒸気移動制御装置１は函体２に設置されるもので、函体２に形成した取付孔２０に嵌め込まれた状態で、フランジ１９が函体２にビス止めされている。
【００１４】
そして、この水蒸気移動制御装置１は、各防水膜１６の通気度及び透湿度を使用しながら、外気と函体２内部の温度変動速度により、函内開口部１４と外部開口部１５との間で水蒸気の移動を制御するものとなっている。
【００１５】
次に、異常警告装置３を説明する。この異常警告装置３は水蒸気移動制御装置１に一体的に組み込まれて函体２に設置される態様となっており、この場合、水蒸気移動制御装置１の内筒１０を異常警告装置の筒状体３０として用いている。
【００１６】
この筒状体３０には、函体２の内部に開口する上端口３１と、外気に開口する下端口３２が形成され、その内部には柔軟薄膜素材（ゴム、シリコン、耐油性シリコン、ラテックス、樹脂フイルム等）による気密性アキュムレータ３３が上端を閉鎖した筒状体で設けられている。
【００１７】
そして、この気密性アキュムレータ３３は下端の外周部３４が筒状体３０の内周にリング金具３５によって気密状態に取り付けられると共に、上面に吸着磁石３６が取り付けられ、この吸着磁石３６が筒状体３０に設けた固定磁石３７に吸着されるようになっている。又、この気密性アキュムレータ３３の上端下面には警告目印部材としての棒状目印３８が取り付けられている。この棒状目印３８は前記固定磁石３７に対する吸着磁石３６の吸着が解除したときに自重により落下して筒状体３０の下端口３２から垂下状態に露出するもので、常時は固定磁石３７に対する吸着磁石３６の吸着によって筒状体３０の内部に格納されている。尚、棒状目印３８は、離れた場所からも目立つように赤色等の色彩や螢光色等によって着色されている。
【００１８】
次に作用を説明する。この異常警告装置３は、水蒸気移動制御装置１の正常時には、吸着磁石３６が固定磁石３７に吸着され、気密性アキュムレータ３３に取り付けられた棒状目印３８が筒状体３０の内部に格納されている。そして、防水膜１６の微細孔が目詰まりを起こしたり、又は予期しない異常な温度変動が函体２の内部に生じると、防水膜１６を通しての水蒸気の移動が得られず、函体２内部に圧力上昇が生じる。
【００１９】
函体内部の圧力変動は、常時、平素の日交差などにより生じ、これに伴って気密性アキュムレータ３３により内外の圧力変動は緩衝される。又、上述のようにして函体２の内部に機能的に許容以上の圧力上昇が生じると、この圧力が筒状体３０の内部に設けた気密性アキュムレータ３３を押し下げるように作用する。これにより図１仮想線で示すように、吸着磁石３６と固定磁石３７との吸着が解除され、気密性アキュムレータ３３の先端が外れ、これに伴って棒状目印３８が自重により落下して筒状体３０の下端開口部３２から垂下状態に露出する。
【００２０】
このように、棒状目印３８が筒状体３０から垂下状態に露出して目立つことから、これを地上からでも容易に確認することができる。尚、この棒状目印３８を確認した場合には、函体２の設置場所まで行き、水蒸気移動制御装置１の防水膜１６を清掃あるいは交換し、同時に異常警告装置３を初期の状態にセットし直すことになる。
【００２１】
次に、図２は本発明に係る実施の第２形態である水蒸気移動制御装置の異常警告装置を示す断面図である。この異常警告装置３も水蒸気移動制御装置１に一体的に組み込まれて函体２に設置される態様となっている。
【００２２】
この場合の水蒸気移動制御装置１は、上端に外向きフランジ１０ａが形成された内筒１０と、下端に内向きフランジ１１ａが形成された外筒１１とで２重筒状に形成されたケーシング１２を有し、この内筒１０と外筒１１との間の空間が通気路１３に形成され、この通気路１３によって函体２の内部に開口させる函内開口部１４と外気に開口させる外部開口部１５とが連通されている。そして、前記函内開口部１４と外部開口部１５に防水膜１６が配設されると共に、前記両フランジ１０ａ，１１ａの先端間にも筒状の防水膜１６が配設され、この各防水膜１６によって通気路１３が２個の小室１８，１８に区画形成されている。
【００２３】
そして、異常警告装置３は、水蒸気移動制御装置１の内筒１０を異常警告装置３の筒状体３０として用いている点及び構成及び作用は前記実施の第１形態とほぼ同様である。ただ、この実施の第２形態では、気密性アキュムレータ３３の長さを短かく形成して、棒状目印３８の落下時に、図２仮想線で示すように、気密性アキュムレータ３３が筒状体３０の内部から露出しないようにしている。又、気密性アキュムレータ３３の上端部は、上面と下面とが上側樹脂体３６ａと下側樹脂体３８ａによって接着挟持され、上側樹脂体３６ａに吸着磁石３６が取り付けられ、この吸着磁石３６が筒状体３０に設けた磁性体（鉄等）３７ａに吸着されるようになっている。尚、棒状目印３８は下側樹脂体３８ａに取り付けられている。
【００２４】
又、気密性アキュムレータ３３の下端の外周部３４よりやや上側に位置した筒状体３３の壁部分に防水膜１６ａが取り付けられている。これは結露による水分が気密性アキュムレータ３３の下端開口部３４付近に溜ることがないように、防水膜１６ａを通して水蒸気を移動させるために設けた構造である。
【００２５】
次に、図３は本発明に係る実施の第３形態である水蒸気移動制御装置の異常警告装置を示す断面図である。この異常警告装置３は水蒸気移動制御装置１とは別体に独立して函体２に設置される態様となっている。
【００２６】
この異常警告装置３では、警告目印部材として、数本（４本）の細棒材を中程部が膨らむように枠組した紡錘形枠３９が用いられている。従って、この紡錘形枠３９の格納時において、気密性アキュムレータ３３が紡錘形枠３９によって内側から張られる状態になるため、気密性アキュムレータ３３に圧力が加わったときに気密性アキュムレータ３３が萎むことがない。これにより、気密性アキュムレータ３３で圧力を確実に受け止めることができるし、気密性アキュムレータ３３同士の付着がないため、紡錘形枠３９を円滑に落下させることができる。又、前記紡錘形枠３９の内部には、上下を連結するようにターンバックルによる調節ネジ３９ａが設けられている。従って、この調節ネジ３９ａによって紡錘形枠３９の膨らみを調整することができ、これにより許容圧力変動差を調整することができる。尚、その他の構成及び作用は実施の第１形態と同様である。
【００２７】
次に、図４は本発明に係る実施の第４形態である水蒸気移動制御装置の異常警告装置を示す断面図である。この異常警告装置３も水蒸気移動制御装置１とは別体に独立して函体２に設置される態様となっている。
【００２８】
この異常警告装置３では、警告目印部材として、帯状シートをロール状に巻取った巻取シート４０が用いられている。この巻取シート４０の外端は筒状体３０の内部に固定した下向きカップ４１の内周に固定され、他方、巻取シート４０の内端は芯材４２に固定され、この芯材４２は上端が磁性体４３で形成されると共に上端部分が下向きカップの上面を貫通して吸着磁石３６に吸着されている。この場合、芯材４２の磁性体４３は、吸着磁石３６が固定磁石３７に吸着している状態では吸着磁石３６に吸着され、吸着磁石３６が固定磁石３７から外れたときには吸着磁石３６から外れるように、その吸着磁石３６の磁力と芯材４２の重量とが設定されている。
【００２９】
従って、図４（イ）の状態で、防水膜１６の目詰まりにより函体２内部に圧力上昇が生じると、函体２内部の圧力上昇により気密性アキュムレータ３３が押し下げられ、図４（ロ）に示すように、吸着磁石３６と固定磁石３７との吸着が解除し、同時に芯材４２の磁性体４３が吸着磁石３６から外れて芯材４２が落下する。そして、この芯材４２の落下により引っ張られて巻取シート４０は内端から垂れ落ちていき、巻取シート４０がつる巻状の垂下状態で露出する。このように、巻取シート４０を用いることで、格納状態ではコンパクトにしながら垂下状態では長さをかせいで、目立ち易くすることができる。尚、その他の構成及び作用は実施の第１形態と同様である。
【００３０】
以上、本発明の実施の形態を図面により説明したが、具体的な構成はこれに限定されることはない。例えば、警告目印部材としては、磁石による吸着が解除したときに自重により落下して筒状体から垂下状態に露出するものであれば、その形状に限定はない。又、異常警告装置は、函体に対して必ずしも垂直に取り付ける必要はなく、警告目印部材が自重により落下できれば、斜め方向に取り付けるようにしてもよい。
【００３１】
【発明の効果】
以上説明してきたように、本発明の水蒸気移動制御装置の異常警告装置にあっては、上記のように構成したので、気密性アキュムレータによって内外圧力の変動を緩衝して水蒸気移動制御装置の機能を正常に維持することができる。又、防水膜の微細孔に目詰まりが生じた場合に、警告目印部材が筒状体から垂下状態に露出して目立つことから、その異常を函体の外部から確認することができ、特に鉄塔等の高所に取り付けられた水蒸気移動制御装置の異常を地上からでも容易に確認できるという効果が得られる。
【図面の簡単な説明】
【図１】本発明に係る実施の第１形態である水蒸気移動制御装置の異常警告装置を示す断面である。
【図２】本発明に係る実施の第２形態である水蒸気移動制御装置の異常警告装置を示す断面である。
【図３】本発明に係る実施の第３形態である水蒸気移動制御装置の異常警告装置を示す断面である。
【図４】本発明に係る実施の第４形態である水蒸気移動制御装置の異常警告装置を示す断面である。
【符号の説明】
１  水蒸気移動制御装置
１０  内筒
１２  ケーシング
１３  通気路
１４  函内開口部
１５  外部開口部
１６  防水膜
１８  小室
２  函体
３  異常警告装置
３０  筒状体
３１  上端口
３２  下端口
３３  気密性アキュムレータ
３６  吸着磁石
３７  固定磁石
３８  棒状目印（警告目印部材）
【図１】
0003977521.tif 000002
【図２】
0003977521.tif 000003
【図３】
0003977521.tif 000004
【図４】
0003977521.tif 000005